(57)【要約】【課題】誤動作を抑止すると共に、消費電力を抑止する。【解決手段】赤外線受光回路２１５は、赤外線による送信信号を受光する受光部１０２と、テレビジョン放送表示装置１００から当該テレビジョン放送表示装置１００が起動状態であるか否かを示す制御信号を受信する受信手段と、受光した送信信号に対して、通過帯域の中心周波数が、副搬送波周波数であるバンドパスフィルタ３０３と、制御信号により示される、テレビジョン放送表示装置１００が起動状態であるか否かに基づいて、バンドパスフィルタ３０３の次数を切り替える次数切替部３１１と、を備える。【選択図】図１
2011035756.tif 000002
【特許請求の範囲】
【請求項１】
発光手段を有する外部装置に組み込まれる赤外線受光装置であって、
赤外線による信号を受光する受光手段と、
前記外部装置から当該外部装置が起動状態であるか否かを示す入力信号を受信する受信手段と、
前記受光手段が受光した前記信号に対して、前記外部装置が有する前記発光手段を駆動させる駆動周波数を減衰させるフィルタ手段と、
前記入力信号により示される、前記外部装置が起動状態であるか否かに基づいて、前記フィルタ手段がフィルタリングを行う前記駆動周波数の減衰率を切り替える切替手段と、
を備えることを特徴とする赤外線受光装置。
【請求項２】
前記切替手段は、前記外部装置が起動状態であれば前記フィルタ手段を、第１の次数に切り替え、前記外部装置が起動状態でなければ前記フィルタ手段を、前記第１の次数より小さい第２の次数に切り替える制御を行うこと、
を特徴とする請求項１に記載の赤外線受光装置。
【請求項３】
前記受光手段は、所定の周波数の赤外線による前記信号を受光し、
前記フィルタ手段は、前記所定の周波数が、通過帯域の中心周波数としたバンドパスフィルタであること、
を特徴とする請求項１又は２に記載の赤外線受光装置。
【請求項４】
前記フィルタ手段は、前記駆動周波数のみを減衰させるバンド・エリミネーション・フィルタであること、
を特徴とする請求項１又は２に記載の赤外線受光装置。
【請求項５】
前記外部装置が起動状態の場合に、起動状態でない場合と比べて高い分解能で、前記受光手段が受光したアナログ信号を、デジタル信号に変換する変換手段を、さらに備え、
前記フィルタ手段は、前記変換手段が変換した前記デジタル信号に対して、フィルタリングを行うこと、
を特徴とする請求項１乃至４のいずれか一つに記載の赤外線受光装置。
【請求項６】
前記外部装置は、前記発光手段としてバックライトを備え、前記駆動周波数で当該バックライトを駆動制御するインバータを、さらに備えていること、
を特徴とする請求項１乃至４のいずれか一つに記載の赤外線受光装置。
【請求項７】
バックライトを有し、起動状態と待機状態と切り替え可能な情報処理装置であって、
前記バックライトを駆動周波数で駆動させるインバータと、
赤外線による信号を受光する受光手段と、
前記受光手段が受光した前記信号に対して、前記駆動周波数を減衰させるフィルタ手段と、
前記情報処理装置が起動状態であるか否かに基づいて、前記フィルタ手段がフィルタリングを行う前記駆動周波数の減衰率を切り替える切替手段と、
前記切替手段で切り替えられた減衰率で、前記フィルタ手段が前記駆動周波数を減衰させた信号に基づく制御を行う制御手段と、
を備えることを特徴とする情報処理装置。
【請求項８】
前記切替手段は、前記情報処理装置が起動状態であれば前記フィルタ手段を、第１の次数に切り替え、前記情報処理装置が待機状態であれば前記フィルタ手段を、前記第１の次数より少ない第２の次数に切り替える制御を行うこと、
を特徴とする請求項７に記載の情報処理装置。
【請求項９】
前記受光手段は、所定の周波数の赤外線による前記信号を受光し、
前記フィルタ手段は、前記所定の周波数が、通過帯域の中心周波数としたバンドパスフィルタであること、
を特徴とする請求項７又は８に記載の情報処理装置。
【発明の詳細な説明】
【技術分野】
【０００１】
本発明は、赤外線受光装置及び情報処理装置に関する。
【背景技術】
【０００２】
従来から、テレビジョン放送表示装置を操作するために、赤外線リモートコントローラが利用されている。例えば、テレビジョン放送表示装置に備えられた赤外線受光部に対して、赤外線リモートコントローラが赤外線の信号を出力することで、テレビジョン放送表示装置を操作できる。その際、赤外線受光部に外乱光が入力された場合に、誤動作が生じる可能性がある。
【０００３】
このような誤動作を生じさせる外乱光としては、インバータ蛍光灯、白熱灯、太陽光などが挙げられている。そこで、特許文献１においては、インバータ蛍光灯下で誤動作を行わないように、インバータ蛍光灯の外乱光によるノイズ成分を検出し、当該ノイズ成分が閾値を超えた場合に、バンドパスフィルタのフィルタ特性を変更し、外乱光に対する耐性を向上させている。
【先行技術文献】
【特許文献】
【０００４】
【特許文献１】特開２００４−５６５４１号公報
【発明の概要】
【発明が解決しようとする課題】
【０００５】
しかしながら、誤動作を生じさせる外乱光は、インバータ蛍光灯以外にも様々なものが存在する。例えば、テレビジョン放送表示装置の表示部に液晶表示パネルを利用している場合、当該液晶表示パネルのバックライトからの反射光が、当該テレビジョン放送表示装置の赤外線受光回路の受光部に入射することで、誤動作を生じさせる可能性もある。
【０００６】
具体的には、テレビジョン放送表示装置の液晶表示パネルのバックライトでは、予め定められた周波数でインバータをオン／オフをすることで駆動制御されている。そして、リモートコントローラからの信号を、テレビジョン放送表示装置に内蔵された赤外線受光回路の受光部が受信している間に、バックライトからの外乱光が変化する場合がある。この場合、赤外線受光回路内で利用されているバンドパスフィルタ（以下、ＢＰＦとも称する）の出力レベルが変動し、誤動作しやすくなるという問題がある。さらには、テレビジョン放送表示装置の前に、人が立ったり、あるいは物が置いてある場合に、人や物で反射されたバックライトの反射光が赤外線受光回路に照射されると、誤動作をしやすくなる。
【０００７】
誤動作を防ぐ手法としては、例えば、バンドパスフィルタの次数を高くして、外乱光の影響を抑圧することが考えられる。しかしながら、バンドパスフィルタの次数を高くすると、計算量が増大し、結果として消費電力が大きくなるという問題がある。
【０００８】
また、上述した特許文献１に記載された技術は、インバータ蛍光灯を前提とした技術であって、液晶テレビジョン放送表示装置のバックライトを考慮した技術ではない。仮に、特許文献１に記載された技術を、バックライトの外乱光にも適用した場合、バックライトの外乱光を検出するためのセンサが必要となり、コストが増大するという問題がある。
【０００９】
本発明は、上記に鑑みてなされたものであって、誤動作の抑止と消費電力の抑止との両立を図る赤外線受光装置、及び情報処理装置を提供することを目的とする。
【課題を解決するための手段】
【００１０】
上述した課題を解決し、目的を達成するために、本発明にかかる赤外線受光装置は、発光手段を有する外部装置に組み込まれる赤外線受光装置であって、赤外線による信号を受光する受光手段と、前記外部装置から当該外部装置が起動状態であるか否かを示す入力信号を受信する受信手段と、前記受光手段が受光した前記信号に対して、前記外部装置が有する前記発光手段を駆動させる駆動周波数を減衰させるフィルタ手段と、前記入力信号により示される、前記外部装置が起動状態であるか否かに基づいて、前記フィルタ手段がフィルタリングを行う前記駆動周波数の減衰率を切り替える切替手段と、を備えることを特徴とする。
【００１１】
また、本発明は、バックライトを有し、起動状態と待機状態と切り替え可能な情報処理装置であって、前記バックライトを駆動周波数で駆動させるインバータと、赤外線による信号を受光する受光手段と、前記受光手段が受光した前記信号に対して、前記駆動周波数を減衰させるフィルタ手段と、前記情報処理装置が起動状態であるか否かに基づいて、前記フィルタ手段がフィルタリングを行う前記駆動周波数の減衰率を切り替える切替手段と、前記切替手段で切り替えられた減衰率で、前記フィルタ手段が前記駆動周波数を減衰させた信号に基づく制御を行う制御手段と、を備えることを特徴とする。
【発明の効果】
【００１２】
本発明によれば、赤外線による信号とともに受光した外乱光に基づく誤動作を抑止すると共に、消費電力を抑止するという効果を奏する。
【図面の簡単な説明】
【００１３】
【図１】図１は、第１の実施の形態にかかるテレビジョン放送表示装置と、赤外線ＴＶリモートコントローラと、の概略構成を示した図である。
【図２】図２は、第１の実施の形態にかかるテレビジョン放送表示装置の主要な信号処理系を示すブロック図である。
【図３】図３は、第１の実施の形態にかかる赤外線受光回路のブロック構成を示した図である。
【図４】図４は、次数切替部により次数が切り替えらえたＢＰＦの制御例を示した図である。
【図５】図５は、第１の実施の形態にかかる赤外線受光回路の各構成で出力される信号の概略波形を示した図である。
【図６】図６は、第１の実施の形態にかかる赤外線受光回路におけるＢＰＦの次数切り替え処理の手順を示すフローチャートである。
【図７】図７は、第１の実施の形態にかかる赤外線受光回路におけるリモコンコード信号を出力するまでの処理の手順を示すフローチャートである。
【図８】図８は、第２の実施の形態にかかる赤外線受光回路の構成を示すブロック図である。
【発明を実施するための形態】
【００１４】
以下に添付図面を参照して、この発明にかかる赤外線受光装置、及び情報処理装置の最良な実施の形態を詳細に説明する。以下に示す実施の形態では、本発明の情報処理装置をテレビジョン放送表示装置に適用すると共に、本発明の赤外線受光装置を、赤外線受光回路に適用する例とする。
【００１５】
図１は、第１の実施の形態にかかるテレビジョン放送表示装置と、当該テレビジョン放送表示装置を操作するＴＶリモートコントローラと、の概略構成を示した図である。図１に示すように、テレビジョン放送表示装置１００は、表示面１０１と、受光部１０２と、テレビ台１０３とを備えている。また、ＴＶリモートコントローラ１５０は、赤外線信号を出力する。そして、テレビジョン放送表示装置１００が備える受光部１０２が、出力された赤外線信号を受信する。これにより、テレビジョン放送表示装置１００は、ＴＶリモートコントローラ１５０で行われた操作に従って、装置自身の制御を行う。
【００１６】
通常、ＴＶリモートコントローラ１５０が出力する赤外線信号の変調方式はＰＰＭ（パルス位置変調）方式とする。ＰＰＭ方式は、パルスの時間間隔で“１”と“０”を区別する方式である。ＴＶリモートコントローラ１５０が出力した赤外線信号は、パルスの時間間隔に、電源オン、オフ、チャンネル切替え等のコードが含まれている。また、各パルス列は副搬送波で振幅変調されている。なお、本実施の形態では、副搬送波の周波数を、３８ｋＨｚとするが、この周波数以外でも良い。
【００１７】
この場合に、受光部１０２は、赤外線以外の様々な外乱光を受光するため、誤動作が生じる場合がある。外乱光としては、インバータ蛍光灯、白熱灯、太陽光など様々な光源が考えられるが、表示面１０１から照射されバックライト光も、外乱光となり得る。特に、テレビジョン放送表示装置１００の前に人が立つ又は物が置いてあると、バックライト光の反射光が受光部１０２に照射され、さらに誤動作をしやすくなる。そこで、本実施の形態では、バックライト光に基づく誤動作を抑止する。
【００１８】
図２は、本実施の形態にかかるテレビジョン放送表示装置１００の主要な信号処理系を示すブロック図である。
【００１９】
地上波放送受信用のアンテナ２０１で受信した地上デジタルテレビジョン放送信号は、入力端子２０２を介して地上デジタル放送用のチューナ２０３に供給される。
【００２０】
チューナ２０３は、制御部２１３からの制御信号により所望のチャネルの放送信号を選局し、この選局された放送信号を復調器２０４に出力する。
【００２１】
復調器２０４は、制御部２１３からの制御信号により、チューナ２０３で選局された放送信号を復調し、所望の番組を含んだトランスポートストリームを得て、ＴＳ復号器２０５に出力する。
【００２２】
ＴＳ復号器２０５は、制御部２１３からの制御信号によりトランスポートストリーム（ＴＳ）多重化された信号のＴＳ復号処理を行い、所望の番組のデジタルの映像信号及び音声信号をデパケットすることにより得たＰＥＳ（Packetized  Elementary  Stream）を信号処理部２０６内のＳＴＤバッファへ出力する。また、ＴＳ復号器２０５は、デジタル放送により送られているセクション情報を信号処理部２０６内のセクション処理部へ出力する。
【００２３】
ここで、上記信号処理部２０６は、テレビ視聴時には、ＴＳ復号器２０５から供給されたデジタルの映像信号及び音声信号に対して、選択的に所定のデジタル信号処理を施し、グラフィック処理部２０９及び音声処理部２０７に出力している。
【００２４】
また、制御部２１３は、ＴＶマイコン２３１を備える。ＴＶマイコン２３１は、赤外線受光回路２１５から出力されるリモコンコード信号に応じて、テレビジョン放送表示装置１００の制御を行う。制御としては、例えば、テレビジョン放送表示装置１００の起動、又は待機、チャンネルの変更、音量の変更など、ＴＶリモートコントローラ１５０で行える操作に対応するあらゆる制御を行う。
【００２５】
制御部２１３には、信号処理部２０６から、信号処理部２０６内のセクション処理部にて処理された番組を取得するための各種データや電子番組ガイド（ＥＰＧ）情報、番組属性情報（番組ジャンル等）、映像、音声、字幕情報等（サービス情報、ＳＩ(Service  Information)）が入力されている。そして、入力された電子番組ガイド（ＥＰＧ）情報、番組属性情報（番組ジャンル等）は、不揮発性メモリ２３２に随時格納、更新される。この不揮発性メモリ２３２に格納された情報は、番組表の表示や、番組の検索などに用いられる。
【００２６】
制御部２１３は、これら入力された情報からＥＰＧ、字幕を表示する場合には、そのための画像生成処理を行い、この生成したＥＰＧ、字幕の画像情報をグラフィック処理部２０９へ出力する。
【００２７】
信号処理部２０６内のセクション処理部は、ＴＳ復号器２０５から入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部２１３へ出力する。
【００２８】
グラフィック処理部２０９は、（１）信号処理部２０６内のＡＶデコーダ（図示せず）から供給されるデジタルの映像信号と、（２）ＯＳＤ（On  Screen  Display）信号生成部２１０で生成されるＯＳＤ信号と、（３）データ放送による画像データと、（４）制御部２１３により生成されたＥＰＧ及び字幕信号と、を合成して映像処理部２１１へ出力する機能を有する。
【００２９】
また、グラフィック処理部２０９は、字幕放送による字幕を表示するとき、グラフィック処理部２０９は、制御部２１３からの制御による字幕情報に基づき、映像信号上に字幕情報を重畳する処理を行う。
【００３０】
グラフィック処理部２０９から出力されたデジタルの映像信号は、映像処理部２１１に供給される。この映像処理部２１１は、入力されたデジタルの映像信号を、表示部２１２で表示可能なアナログ映像信号に変換した後、表示部２１２に出力して映像表示させる。
【００３１】
表示部２１２は、バックライト２２１と、インバータ回路２２２と、液晶表示パネル２２３とを備えている。液晶表示パネル２２３は、入力されたアナログ映像信号の映像表示を行う。
【００３２】
バックライト２２１は、液晶表示パネル２２３の裏面に配置された光源であり、液晶表示パネル２２３の映像表示に対して、後ろから光を照射する。インバータ回路２２２は、予め定められた駆動周波数で、バックライト２２１の駆動制御を行う。当該駆動周波数のオン／オフにより、バックライト２２１の調光制御が行われることになる。
【００３３】
また、音声処理部２０７は、入力されたデジタルの音声信号を、スピーカ２０８で再生可能なアナログ音声信号に変換した後、スピーカ２０８に出力して音声を再生させる。
【００３４】
ここで、このテレビジョン放送表示装置１００は、上記した各種の受信動作を含むその全ての動作を制御部２１３によって統括的に制御されている。この制御部２１３は、ＣＰＵ（Central  Processing  Unit）等を内蔵している。
【００３５】
例えば、赤外線受光回路２１５が、ＴＶリモートコントローラ１５０等から送出された操作情報を、受光部（ＰＤ）１０２を介して受信した場合に、制御部２１３のＴＶマイコン２３１が、その操作内容（例えば、チャネル切換操作など）が反映されるように各部をそれぞれ制御する。
【００３６】
また、上記制御部２１３は、操作部２１４と接続されている。このため、制御部２１３は、操作部２１４から、テレビジョン放送表示装置１００に対する操作を受け付けることができる。
【００３７】
次に、バックライト光の反射光が受光部１０２に入射した場合の誤動作を抑止する、赤外線受光回路２１５について説明する。図３は、赤外線受光回路２１５のブロック構成を示した図である。
【００３８】
図３に示すように、赤外線受光回路２１５は、ＰＤ(Photo  Diode)１０２と、増幅器３０１と、受信部３０２と、ＢＰＦ（バンドパスフィルタ）３０３と、信号レベル検出器３０４と、コンパレータ３０５と、積分器３０６と、ヒステリシスコンパレータ３０７と、を備える。
【００３９】
ＰＤ(受光部)１０２は、ＴＶリモートコントローラ１５０から送信される赤外線の送信信号を受光して、電流に変換する半導体のダイオードとする。受光する送信信号としては、所定の周波数の赤外線パルスとする。また、ＰＤ(受光部)１０２は、赤外線の送信信号以外の外乱光も受光する。このため、外乱光の影響を抑止するように処理を行う必要がある。
【００４０】
増幅器３０１は、ＰＤ(受光部)１０２により電流に変換された信号を、電流−電圧変換し、電圧増幅を行う。増幅器３０１は、ＰＤ(受光部)１０２に強い光が入射して出力電流が増大した場合、回路の許容範囲を飽和しないように自動的に利得を下げる機能を備えている。
【００４１】
受信部３０２は、テレビジョン放送表示装置１００のＴＶマイコン２３１から、テレビジョン放送表示装置１００がオン状態（起動状態）か、オフ状態（停止状態又は待機状態）かを示す制御信号を受信する。
【００４２】
ＢＰＦ（Band  Pass  Filter）３０３は、次数切替部３１１を備え、増幅器３０１で電流−電圧変換された後の信号から、ＴＶリモートコントローラ１５０の副搬送波周波数（３８ｋＨｚ）を通過帯域の中心周波数として、フィルタリングを行う。これにより、赤外線の送信信号の信号成分のみを抽出することができる。したがって、テレビジョン放送表示装置１００のインバータ回路２２２の駆動周波数を減衰させるので、外乱光の影響を除去することができる。
【００４３】
また、ＢＰＦ３０３は、次数切替部３１１により、フィルタの次数が切り替えられる。この次数を高くすると、理想的なフィルタに近づくので耐外乱光特性が向上するが、処理量が多くなるため消費電力が向上する。このため、外乱光が入射する状況においては、次数を高くし、外乱光が入射しない状況においては、次数を低くするのが望ましい。
【００４４】
そこで、次数切替部３１１は、受信部３０２が受信した制御信号で示された、テレビジョン放送表示装置１００が、オン状態（起動状態）であるか否かに基づいて、ＢＰＦ３０３の次数を切り替える。この次数を切り替えることで、インバータ回路２２２がバックライト２２１を駆動させる駆動周波数の減衰率を切り替えられたものとなる。
【００４５】
より具体的には、次数切替部３１１は、受信部３０２から入力される制御信号に基づいて、テレビジョン放送表示装置１００がオン状態か否かを判定し、オン状態であればＢＰＦ３０３の次数を‘４’に切り替え、テレビジョン放送表示装置１００がオフ状態であればＢＰＦ３０３の次数を‘２’に切り替える制御を行う。
【００４６】
つまり、本実施の形態では、テレビジョン放送表示装置１００がオン状態の時にはバックライト２２１からのバックライト光の反射光が受光部１０２に入射することが考えられるために、次数を高くし、オフ状態の時にはバックライト２２１からのバックライト光の反射光が受光部１０２に入射することが考えられないために、次数を低くしている。
【００４７】
図４は、次数切替部３１１により次数が切り替えらえたＢＰＦ３０３の制御例を示した図である。図４に示すように、次数切替部３１１は、ＢＰＦ３０３の次数を、オン状態のときは４次（バタワース）に切り替え、オフ状態のときは２次（バタワース）に切り替える。符号４０２が、２次ＢＰＦ（バタワース）であり、符号４０１が、４次ＢＰＦ（バタワース）である。このように、４次ＢＰＦ（バタワース）は、通過帯域の中心周波数を３８ｋＨｚとして、２次ＢＰＦ（バタワース）と比べてかなり強い減衰が行われることが確認できる。
【００４８】
つまり、テレビジョン放送表示装置１００がオン状態で、液晶表示パネル２２３の映像表示を行っているときには、ＢＰＦ３０３の次数を高くし、耐外乱光特性を向上させ、インバータ回路２２２で駆動制御されるバックライト２２１に基づく外乱光の影響を抑圧することができる。また、テレビジョン放送表示装置１００がオフ状態で、液晶表示パネル２２３の映像表示を行っていないときには、ＢＰＦ３０３の次数が低くなるが、バックライト２２１からの外乱光がないので、誤動作が生ずることもなく、さらに、次数が低いために計算量が低減し、無駄な電力消費を抑えることができる。
【００４９】
図３に戻り、信号レベル検出器３０４は、ＢＰＦ３０３から出力された信号を積分し、平坦化する。
【００５０】
コンパレータ３０５は、ＢＰＦ３０３から出力された信号と、信号レベル検出器３０４から出力された信号と、を比較し、積分のための充放電のタイミングを生成する。
【００５１】
積分器３０６は、コンパレータ３０５が生成したタイミングで副搬送波成分の積分を行う。
【００５２】
ヒステリシスコンパレータ３０７は、積分器３０６から出力された信号が、閾値以上であるか否かを比較し、当該比較結果から論理レベルによるリモコンコード信号を生成し、出力する。なお、ヒステリシスコンパレータ３０７は、比較結果を反転して、リモコンコード信号を出力する。具体的には、積分器３０６から出力された信号が、閾値以上の場合に、“ＯＦＦ”を示す信号を出力し、積分器３０６から出力された信号が、閾値より小さい場合に、“ＯＮ”を示す信号を出力する。
【００５３】
ＴＶマイコン２３１は、赤外線受光回路２１５から出力されるリモコンコード信号に応じて、テレビジョン放送表示装置１００の制御を行う。
【００５４】
次に、本実施の形態にかかる赤外線受光回路２１５の各構成で出力される信号の波形について説明する。図５は、赤外線受光回路２１５の各構成で出力される信号の概略波形を示した図である。図５に示す例では、ＴＶリモートコントローラ１５０から、波形５０１に示す送信信号が出力されているものとする。
【００５５】
そして、ＰＤ１０２で入射された信号に対して、増幅器３０１による増幅と、ＢＰＦ３０３によるフィルタリングとが行われた後、ＢＰＦ３０３から出力波形５０２が出力される。つまり、次数切替部３１１で切り替えられた次数で、ＢＰＦ３０３が３８ｋＨｚ成分以外を減衰することで、出力波形５０２を抽出することができる。
【００５６】
そして、信号レベル検出器３０４が、ＢＰＦ３０３から入力された出力波形５０２を、積分し、平坦化し、出力波形５０３を出力する。当該出力波形５０３は、出力波形５０２が大きいほど徐々に上昇し、出力波形５０２が小さいほど徐々に低下していく。
【００５７】
そして、コンパレータ３０５が、出力波形５０２と、出力波形５０３と、を比較し、積分のための充放電のタイミングを生成し、積分器３０６が、コンパレータ３０５が生成したタイミングで副搬送波成分の積分を行う。その結果、積分器３０６は、出力波形５０５を出力する。
【００５８】
そして、ヒステリシスコンパレータ３０７は、出力波形５０５が、予め定められた第１の閾値（閾値５０４上の第１の閾値）以上となった場合に、リモコンコード信号５０６として“ＯＦＦ”を出力する。このように、ヒステリシスコンパレータ３０７は、極性を反転した上でリモコンコード信号５０６の出力を行う。また、その後、閾値５０４が第２の閾値に切り替わる。さらに、ヒステリシスコンパレータ３０７は、出力波形５０５が、予め定められた第２の閾値（閾値５０４上の第２の閾値）より小さくなった場合に、リモコンコード信号５０６として“ＯＮ”を出力する。その後も閾値５０４は、リモコンコード信号５０６に応じて第１の閾値又は第２の閾値に切り替えられるものとする。なお、第１の閾値及び第２の閾値は、第１の閾値＞第２の閾値であって、実施の形態毎に適切な値が設定されるものとする。
【００５９】
そして、出力されたリモコンコード信号５０６が、ＴＶマイコン２３１に入力される。そして、ＴＶマイコン２３１が、入力されたコードを識別して、テレビジョン放送表示装置１００の制御を行う。
【００６０】
次に、本実施の形態にかかるテレビジョン放送表示装置１００の赤外線受光回路２１５におけるＢＰＦ３０３の次数切り替え処理について説明する。図６は、本実施の形態にかかる赤外線受光回路２１５における上述した処理の手順を示すフローチャートである。
【００６１】
まず、受信部３０２が、ＴＶマイコン２３１から制御信号を受信する（ステップＳ６０１）。
【００６２】
次に、次数切替部３１１が、入力された制御信号が、テレビジョン放送表示装置１００のオン状態を示す信号であるか否かを判定する（ステップＳ６０２）。そして、次数切替部３１１がオン状態を示す信号であると判定した場合（ステップＳ６０２：Ｙｅｓ）、ＢＰＦ３０３の次数を４次に切り替える（ステップＳ６０３）。これにより、オン状態、換言すればバックライト光の反射光が受光部１０２に入射する状況では、４次でフィルタリングが行われる。
【００６３】
一方、次数切替部３１１がオン状態を示す信号ではないと判定した場合（ステップＳ６０２：Ｎｏ）、ＢＰＦ３０３の次数を２次に切り替える（ステップＳ６０４）。つまり、オフ状態、換言すれば、テレビジョン放送表示装置１００が（バックライト光を照射しない）待機状態では、２次でフィルタリングが行われる。
【００６４】
上述した処理手順により、テレビジョン放送表示装置１００が利用されている状況においては、４次でフィルタリングが行われるため、副搬送波成分が精度良く抽出されるため、外乱光による誤動作を抑止することができる。さらに、テレビジョン放送表示装置１００が利用されていない状況においては、２次でフィルタリングが行われるため、消費電力を抑止することができる。
【００６５】
次に、本実施の形態にかかるテレビジョン放送表示装置１００の赤外線受光回路２１５におけるリモコンコード信号を出力するまでの処理について説明する。図７は、本実施の形態にかかる赤外線受光回路２１５における上述した処理の手順を示すフローチャートである。
【００６６】
まず、ＰＤ１０２が、ＴＶリモートコントローラ１５０から送信される赤外線の送信信号を受光して、電流に変換する（ステップＳ７０１）。次に、増幅器３０１が、電流−電圧変換した後、電圧増幅を行う（ステップＳ７０２）。
【００６７】
その後、ＢＰＦ３０３が、図６の処理手順で切り替えられた次数で、副搬送波の周波数を、通過帯域の中心周波数として、フィルタリングを行う（ステップＳ７０３）。
【００６８】
そして、信号レベル検出器３０４が、ＢＰＦ３０３から出力された信号を積分し、平坦化する（ステップＳ７０４）。次に、コンパレータ３０５が、ＢＰＦ３０３から出力された信号と、信号レベル検出器３０４から出力された信号と、を比較し、充放電のタイミングを生成する（ステップＳ７０５）。
【００６９】
そして、積分器３０６は、コンパレータ３０５が生成したタイミングで副搬送波成分の積分を行う（ステップＳ７０６）。
【００７０】
その後、ヒステリシスコンパレータ３０７が、積分器３０６から出力された信号と、閾値とを比較し、当該比較結果から生成したリモコンコード信号を出力する（ステップＳ７０７）。
【００７１】
上述した処理手順により、ＴＶマイコン２３１に、リモコンコード信号が出力されるので、テレビジョン放送表示装置１００の制御が行われる。
【００７２】
なお、本実施の形態にかかる赤外線受光回路２１５においては、オン状態（起動状態）の時にＢＰＦ３０３を４次とし、オフ状態（待機状態などの起動していない状態）の時に２次とした。しかしながら、次数を４次と２次とに制限するものではなく、起動時の次数が、起動していないときの次数より大きければよい。
【００７３】
なお、本実施の形態においては、赤外線受光回路２１５を、テレビジョン放送表示装置１００に組み込んだ例について説明したが、他の装置に組み込んでも良い。他の装置としては、例えば、液晶表示パネル及びバックライトを備えたＰＣなど、バックライト（発光手段）を有する情報処理装置であればよい。
【００７４】
本実施の形態にかかる赤外線受光回路２１５においては、副搬送波の周波数の周波成分をＢＰＦ３０３で抽出することで、バックライト２２１を駆動する駆動周波数成分が取り除かれるので、誤動作を防ぐことができる。
【００７５】
近年、消費電力を抑止しようという動きから、テレビジョン放送表示装置１００の大気中の電力の消費も低減させる必要がある。そこで、本実施の形態にかかるテレビジョン放送表示装置１００においては、待機時（換言すれば、使用されていない間）に、赤外線受光回路２１５の消費電力が抑止されるため、テレビジョン放送表示装置１００全体での消費電力も抑止できることになる。
【００７６】
また、ＴＶリモートコントローラ１５０からの、赤外線による送信信号を受光し、リモコンコード信号を出力する赤外線受光回路２１５において、上述した構成を備えることで、テレビジョン放送表示装置１００がオン状態のときは耐外乱光特性を向上させて、バックライト２２１から照射されるバックライト光に基づく反射光の影響を抑圧し、テレビジョン放送表示装置１００がオフ状態のときは無駄な電力消費を抑えることを可能とする。
【００７７】
（第１の実施の形態の変形例）
また、上述した実施の形態に限定されるものではなく、以下に例示するような種々の変形が可能である。
【００７８】
上述した第１の実施の形態においては、副搬送波の周波成分を残し、バックライト２２１を駆動させる駆動周波数を取り除くためのＢＰＦ３０３を用いることとしたが、使用するフィルタをバンドパスフィルタに制限するものではない。
【００７９】
そこで、第１の実施の形態の変形例では、ＢＰＦ３０３の代わりに、バンド・エリミネーション・フィルタを用いる例とする。本変形例にかかるバンド・エリミネーション・フィルタは、バックライト２２１を駆動させる駆動周波数のみ取り除くフィルタとする。なお、他の構成については、第１の実施の形態と同様として説明を省略する。
【００８０】
そして、このバンド・エリミネーション・フィルタにおいても、テレビジョン放送表示装置１００のオン状態であるか否かに応じて、次数切替部３１１により、次数が切り替えられるものとする。
【００８１】
本変形例にかかる赤外線受光回路において、バンド・エリミネーション・フィルタを用いた場合でも、第１の実施の形態と同様の効果を得ることができる。
【００８２】
さらに、副搬送波の周波成分を残し、バックライト２２１を駆動させる駆動周波数を取り除けるフィルタであれば、バントパスフィルタ、又はバンド・エリミネーション・フィルタ以外のフィルタを用いても良く、例えば、ローパスフィルタやハイパスフィルタを用いても良い。
【００８３】
（第２の実施の形態）
第１の実施の形態では、アナログ回路を適用した赤外線受光回路の例について説明したが、第２の実施の形態では、デジタル回路の例について説明する。
【００８４】
図８は、第２の実施の形態にかかる赤外線受光回路８００の構成を示すブロック図である。赤外線受光回路８００は、ＰＤ(Photo  Diode)１０２と、増幅器３０１と、受信部８０１と、ＬＰＦ８０２と、Ａ／Ｄ変換部８０３と、ＢＰＦ８０４と、信号レベル検出器８０５と、コンパレータ８０６と、積分器８０７と、ヒステリシスコンパレータ８０８と、を備える。以下の説明では、上述した第１の実施の形態と同一の構成要素には同一の符号を付してその説明を省略している。
【００８５】
ＬＰＦ８０２は、ナイキスト周波数以上の雑音、あるいは歪み成分を除去するアンチエイリアシングフィルタとする。
【００８６】
受信部８０１は、テレビジョン放送表示装置１００のＴＶマイコン２３１から、テレビジョン放送表示装置１００がオン状態（起動状態）か、オフ状態（停止状態又は待機状態）かを示す制御信号を受信し、受信した制御信号を、Ａ／Ｄ変換部８０３及びＢＰＦ８０４に出力する。
【００８７】
Ａ／Ｄ変換部８０３は、分解能切替部８１１を備え、ＬＰＦ８０２から出力されたアナログ信号を、デジタル信号に変換する。デジタル信号への変換に際しては、副搬送波信号の２倍以上のサンプリング周波数が用いられる。
【００８８】
また、Ａ／Ｄ変換部８０３は、分解能切替部８１１により、Ａ／Ｄ変換部８０３の分解能が切り替えられる。この分解能が高くなると、より精度の高いデジタル信号に変換できるが、処理量が多くなるため消費電力が向上する。そこで、それほど精度が必要ない状況においては、分解能切替部８１１がＡ／Ｄ変換部８０３に対して低い分解能に切り替える方が好ましい。そこで、本実施の形態では、外乱光が受光部１０２に入射されない状況、換言すればテレビジョン放送表示装置１００がオフ状態の時には、分解能切替部８１１が、Ａ／Ｄ変換部８０３に対して、低い分解能に切り替えるよう制御を行う。
【００８９】
つまり、分解能切替部８１１は、受信部８０１が受信した制御信号で示される、テレビジョン放送表示装置１００が、オン状態（起動状態）であるか否かに基づいて、Ａ／Ｄ変換部８０３の分解能を切り替える。
【００９０】
本実施の形態にかかる分解能切替部８１１は、受信部８０１から入力される制御信号に基づいて、テレビジョン放送表示装置１００がオン状態か否か判定し、オン状態であればＡ／Ｄ変換部８０３の分解能をｎビットに切り替え、テレビジョン放送表示装置１００がオフ状態であればＡ／Ｄ変換部８０３の分解能をｍビットに切り替える制御を行う。なお、ｎ＞ｍとする。
【００９１】
このように、Ａ／Ｄ変換部８０３は、テレビジョン放送表示装置１００がオン状態の場合に、オフ状態と比べて高い分解能で、アナログ信号をデジタル信号に変換する。これにより、テレビジョン放送表示装置１００のバックライト２２１からバックライトが照射されている状況では、Ａ／Ｄ変換部８０３の分解能が高く、大きなＳＮＲを得ることができる。このため、外乱光による影響を抑圧することができる。
【００９２】
テレビジョン放送表示装置１００がオフ状態のときには、バックライト光に基づく外乱光がないので、Ａ／Ｄ変換部８０３の分解能を低くし、無駄な電力消費を抑えることができる。
【００９３】
ＢＰＦ（Band  Pass  Filter）８０４は、次数切替部８１２を備え、Ａ／Ｄ変換部８０３で変換された後のデジタル信号に対して、ＴＶリモートコントローラ１５０の副搬送波周波数（３８ｋＨｚ）を通過帯域の中心周波数として、フィルタリングを行う。ＢＰＦ８０４と、ＢＰＦ３０３との違いとしては、ＢＰＦ３０３がアナログ信号に対してフィルタリングを行うアナログ回路であるのに対し、ＢＰＦ８０４は、デジタル信号に対してフィルタリングを行うデジタル回路である点とする。
【００９４】
また、次数切替部８１２は、受信部８０１が受信した制御信号で示された、テレビジョン放送表示装置１００が、オン状態（起動状態）であるか否かに基づいて、ＢＰＦ８０４の次数を切り替える。なお、次数の切り替え手法は第１の実施の形態と同様として説明を省略する。
【００９５】
また、信号レベル検出器８０５、コンパレータ８０６、積分器８０７、及びヒステリシスコンパレータ８０８も、ＢＰＦ８０４と同様に、デジタル回路で構成されている。
【００９６】
これにより、第１の実施の形態のようなアナログ回路では、微細化によるばらつきによる精度の低減が生じる可能性があるが、第２の実施の形態では、デジタル回路とすることで、製造コストの低減や特性の安定に結びつくというメリットが生じる。これにより、例えば、ＢＰＦ８０４では、カットオフ周波数の精度を向上させることができる。
【００９７】
また、Ａ／Ｄ変換部８０３による分解能を切り替える処理手順は、第１の実施の形態の次数を切り替える処理手順と同様として、説明を省略する。
【００９８】
本実施の形態においては、第１の実施の形態と同様の効果が得られる他、テレビジョン放送表示装置１００がオン状態の時には分解能を高くすることで、ＳＮＲを向上させることができる。これにより、さらに耐外乱光特性が向上し、さらなる誤動作の抑止が可能となる。
【００９９】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１００】
１００ テレビジョン放送表示装置
１０１ 表示面
１０２ 受光部
１０３ テレビ台
１５０ ＴＶリモートコントローラ
２０１ アンテナ
２０２ 入力端子
２０３ チューナ
２０４ 復調器
２０５ ＴＳ復号器
２０６ 信号処理部
２０７ 音声処理部
２０８ スピーカ
２０９ グラフィック処理部
２１０ ＯＳＤ信号生成部
２１１ 映像処理部
２１２ 表示部
２１３ 制御部
２１４ 操作部
２１５、８００       赤外線受光回路
２２１ バックライト
２２２ インバータ回路
２２３ 液晶表示パネル
２３１ ＴＶマイコン
２３２ 不揮発性メモリ
３０１ 増幅器
３０２、８０１       受信部
３０３、８０４       ＢＰＦ
３０４、８０５       信号レベル検出器
３０５、８０６       コンパレータ
３０６、８０７       積分器
３０７、８０８       ヒステリシスコンパレータ
３１１、８１２       次数切替部
８０２ ＬＰＦ
８０３ Ａ／Ｄ変換部
８１１ 分解能切替部
【図１】
2011035756.tif 000003
【図２】
2011035756.tif 000004
【図３】
2011035756.tif 000005
【図４】
2011035756.tif 000006
【図５】
2011035756.tif 000007
【図６】
2011035756.tif 000008
【図７】
2011035756.tif 000009
【図８】
2011035756.tif 000010
【手続補正書】
【提出日】平成22年7月20日(2010.7.20)
【手続補正２】
【補正対象書類名】明細書
【補正対象項目名】０００１
【補正方法】変更
【補正の内容】
【０００１】
本発明は、表示装置に関する。
【手続補正３】
【補正対象書類名】明細書
【補正対象項目名】０００９
【補正方法】変更
【補正の内容】
【０００９】
本発明は、上記に鑑みてなされたものであって、誤動作の抑止と消費電力の抑止との両立を図る表示装置を提供することを目的とする。
【手続補正４】
【補正対象書類名】明細書
【補正対象項目名】００１０
【補正方法】変更
【補正の内容】
【００１０】
上述した課題を解決し、目的を達成するために、本発明にかかる表示装置は、起動状態と待機状態と切り替え可能な表示装置であって、前記起動状態と前記待機状態との切り替えに従って、発光の有無が切り替えられる光源を有する表示部と、赤外線による信号を受光する受光手段と、前記受光手段が受光した前記信号に対して、前記光源を駆動させる駆動周波数を減衰させるフィルタ手段と、前記表示装置が起動状態であるか否かに基づいて、前記フィルタ手段がフィルタリングを行う前記駆動周波数の減衰率を切り替える切替手段と、前記切替手段で切り替えられた減衰率で、前記フィルタ手段が前記駆動周波数を減衰させた信号に基づく制御を行う制御手段と、を備えることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１４
【補正方法】変更
【補正の内容】
【００１４】
以下に添付図面を参照して、この発明にかかる表示装置の最良な実施の形態を詳細に説明する。以下に示す実施の形態では、本発明の表示装置をテレビジョン放送表示装置に適用する。
【手続補正７】
【補正対象書類名】特許請求の範囲
【補正対象項目名】全文
【補正方法】変更
【補正の内容】
【特許請求の範囲】
【請求項１】
起動状態と待機状態と切り替え可能な表示装置であって、
前記起動状態と前記待機状態との切り替えに従って、発光の有無が切り替えられる光源を有する表示部と、
赤外線による信号を受光する受光手段と、
前記受光手段が受光した前記信号に対して、前記光源を駆動させる駆動周波数を減衰させるフィルタ手段と、
前記表示装置が起動状態であるか否かに基づいて、前記フィルタ手段がフィルタリングを行う前記駆動周波数の減衰率を切り替える切替手段と、
前記切替手段で切り替えられた減衰率で、前記フィルタ手段が前記駆動周波数を減衰させた信号に基づく制御を行う制御手段と、
を備えることを特徴とする表示装置。
【請求項２】
前記受光手段は、赤外線による、前記表示装置の起動状態と待機状態とを切り替える信号を受信し、
前記切替手段は、前記受光手段が受信した前記信号に従って、前記表示装置が起動状態であるか否かに基づいて、前記フィルタ手段がフィルタリングを行う前記駆動周波数の減衰率を切り替えること、
を特徴とする請求項１に記載の表示装置。
【請求項３】
前記切替手段は、前記表示装置が前記起動状態である場合、前記表示装置が前記待機状態である場合と比べて強い減衰を行うよう、前記フィルタ手段を切り替える制御を行うこと、
を特徴とする請求項１又は２に記載の表示装置。
【請求項４】
前記受光手段は、所定の周波数の赤外線による前記信号を受光し、
前記フィルタ手段は、前記所定の周波数が、通過帯域の中心周波数としたバンドパスフィルタであること、
を特徴とする請求項１乃至３のいずれか１つに記載の表示装置。
【請求項５】
前記フィルタ手段は、前記駆動周波数のみを減衰させるバンド・エリミネーション・フィルタであること、
を特徴とする請求項１乃至３のいずれか１つに記載の表示装置。
【請求項６】
前記表示装置が起動状態の場合に、起動状態でない場合と比べて高い分解能で、前記受光手段が受光したアナログ信号を、デジタル信号に変換する変換手段を、さらに備え、
前記フィルタ手段は、前記変換手段が変換した前記デジタル信号に対して、フィルタリングを行うこと、
を特徴とする請求項１乃至５のいずれか一つに記載の表示装置。